(57)【要約】【課題】複数部の書類を二穴ファイルにまとめて収納する際に、各書類を綴じ合わせた状態で収納でき、閲覧する際に必要な書類を探し易く、二穴ファイルに対して書類単位で容易に出し入れ可能なファイリングシステムを提供する。【解決手段】紙葉束１ａに、二穴ファイル２Ａの両綴じ中心Ｏ，Ｏから相互の対向側へ拡がる拡張部３１を有する一対の綴じ穴３，３を設け、両綴じ穴３，３の拡張部３１，３１に綴り具５Ａの差込み部５１，５１を通して互いの対向側へ折り付けて書類１を綴じ合わせ、この書類１の両綴じ穴３，３における差込み部５１の通過部分の外側に、二穴ファイル２Ａの両綴じ杆４Ａ，４Ａを通すことにより、二穴ファイル２Ａに対して綴じ合わせた書類１単位で着脱可能に収納する。【選択図】図３
2018187880.tif 000002
【特許請求の範囲】
【請求項１】
紙葉束に二穴ファイル用の一対の綴じ穴を設ける際に、両綴じ穴を二穴ファイルによる両綴じ中心から相互の対向側へ拡がる拡張部を有する形状とし、
該紙葉束の両綴じ穴の前記拡張部に綴り具の差込み部を通して一纏めの書類に綴り、
この綴った書類の複数部を二穴ファイルに収納する際に、当該二穴ファイルの両綴じ杆を各書類の両綴じ穴における前記差込み部が通過した外側に通すことにより、二穴ファイルに対して綴った書類単位で着脱可能に収納することを特徴とするファイリングシステム。
【請求項２】
前記拡張部を有する形状の綴じ穴を設けた紙葉束を、表裏の両シート部に同様の拡張部を有する形状の綴じ穴を設けた書類挟みに挟み込み、この挟み込み状態で紙葉束及び書類挟みの両綴じ穴の拡張部に綴り具の差込み部を連通して一纏めの書類に綴ることを特徴とする請求項１に記載のファイリングシステム。
【請求項３】
前記拡張部を有する形状の綴じ穴を、該綴じ穴に対応する先端形状の打抜き刃軸を備える穿孔パンチによって形成することを特徴とする請求項１又は２に記載のファイリングシステム。
【請求項４】
前記綴り具としてステイック型のペーパーファスナーを用い、このペーパーファスナーの両端部を前記紙葉束の両綴じ穴の拡張部に通して互いの対向側へ折り付けて一纏めの書類に綴ることを特徴とする請求項１〜３のいずれかに記載のファイリングシステム。
【請求項５】
前記綴り具として綴じ紐を用い、この綴じ紐の両端部を前記紙葉束の両綴じ穴の拡張部に通して互いに結び留めて一纏めの書類に綴ることを特徴とする請求項１〜３のいずれかに記載のファイリングシステム。
【請求項６】
前記綴り具は、二穴ファイル用の一対の挿通孔を備える硬質帯板状のベースと、一対の綴じ足を有する可撓性差込み部材と、前記ベースにスライド自在に装着された一対の係止部材とからなるロック式のペーパーファスナーであり、
前記ベースの両挿通孔が二穴ファイルによる両綴じ中心から相互の対向側へ拡がる拡張部を有し、
前記紙葉束の両綴じ穴の拡張部に通した前記の両綴じ足を前記ベースの両挿通孔の拡張部に通して互いの対向側へ折り付け、その各折り付け部分を前記係止部材によって該ベースに係止して一纏めの書類に綴ることを特徴とする請求項１〜３のいずれかに記載のファイリングシステム。
【発明の詳細な説明】
【技術分野】
【０００１】
本発明は、複数部の書類を二穴ファイルに纏めて収容するためのファイリングシステムに関する。
【背景技術】
【０００２】
近年、紙葉束を一体の書類に纏める手段として、従来汎用のステープラ（ホッチキス）による針留めに代えて、該書類に二穴パンチ等で一対の円形の綴じ穴（パンチ穴）を設け、両綴じ穴を利用してステイック型やロック式のペーパーファスナーにて綴る方法が普及しつつある。前者のステイック型のペーパーファスナーは、一般的に細長く偏平な金属板を塗装するか、もしくは該金属板を合成樹脂で被包したものであり、略一定幅の単純なストレートタイプ（例えば、非特許文献１）の他、中間部が広幅になった中間ワイドタイプや、その広幅の中間部の裏面に粘着層を設けたもの（例えば、非特許文献２）等が知られており、紙葉束の両綴じ穴に両端部を通して相互の対向側又は半対向側へ折り付けるだけで一体の書類を構成できる上、折り付け部分を戻すことで書類から簡単に取外しできるため、書類の紙葉を増減するのにも便利である。また、ロック式のペーパーファスナーは、二穴ファイル用の綴じ穴に対応する一対の挿通孔を備える硬質帯板状のベースと、一対の可撓性バンド状の綴じ足と、ベースにスライド自在に装着された一対の係止部材とからなり（例えば、非特許文献３）、紙葉束の両綴じ穴に両綴じ足を通してベースの上面溝部へ折り付け、その各折り付け部分を係止部材によって該ベースに係止することで一体の書類を構成できる。
【０００３】
一方、複数部の書類を一つのファイルにまとめる場合、比較的に硬い材質の表・裏・背の表紙体が一体化して内面側に綴じ金具を備える二穴ファイルを用い、その綴じ金具から突出する一対の綴じ杆を各書類の二穴パンチ等で設けた一対の綴じ穴に挿通し、両綴じ杆の先端側を閉鎖する形で該二穴ファイルに収納する。そして、この二穴ファイルとして、直線パイプ状の両綴じ杆に、帯状の押さえ板に突設された一対の棒脚を挿入するパイプ方式のもの（例えば、特許文献１の図８）と、綴じ杆が開閉リングからなるリング方式のもの（例えば、特許文献２）とが多用されている。
【先行技術文献】
【非特許文献】
【０００４】
【非特許文献１】インターネット・ウエブ・KING JIM STORE・ファイリングアクセサリー・フレックスファスナー、検索日：2017年3月1日、http://www.kingjim-store.jp/file/filingacce.html
【非特許文献２】インターネット・ウエブ・株式会社リヒトラブ・製品情報・カラーファスナー、検索日：2017年3月1日、http://www.lihit-lab.com/products/catalog/F-8CL-100.html
【非特許文献３】インターネット・ウエブ・楽天市場・ペーパーファスナー／樹脂簡易ファイル／綴じ具／綴り用品、検索日：2017年4月7日、http://item.rakuten.co.jp/gadgetstore/paper_fastner-p/2/4
【特許文献】
【０００５】
【特許文献１】特開平７−１３２６９６号公報
【特許文献２】特許第４２４４８８４号公報
【発明の概要】
【発明が解決しようとする課題】
【０００６】
しかしながら、前もってペーパーファスナー等で綴った書類の複数部を二穴ファイルに纏めて収納する場合、ペーパーファスナーを通している書類の綴じ穴に対して二穴ファイルの綴じ杆の挿入が困難であるため、各書類のペーパーファスナーを取り外して紙葉束にばらす必要があり、そのために多大な手間を要していた。また、二穴ファイルに纏めて収納した複数部の書類は書類毎の区切りがないから、閲覧する際に必要な書類を探しにくい上、書類単位で持ち出したり他の書類と入れ替えたりする操作が煩わしく、書類の出入れ時に往々にして紙葉の順序等が乱れて整理に手間取ることもあった。
【０００７】
本発明は、上述の事情に鑑みて、複数部の書類を二穴ファイルに纏めて収納する際に、各書類を綴った状態のままで該二穴ファイルに収納でき、もって閲覧する際に必要な書類を探し易く、また二穴ファイルに対して書類単位で容易に出し入れ可能なファイリングシステムを提供することを目的としている。
【課題を解決するための手段】
【０００８】
上記目的を達成するための手段を図面の参照符号を付して示せば、請求項１の発明に係るファイリングシステムは、紙葉束１ａに二穴ファイル２Ａ，２Ｂ用の一対の綴じ穴３，３を設ける際に、両綴じ穴３，３を該二穴ファイル２Ａ，２Ｂによる両綴じ中心Ｏ，Ｏから相互の対向側へ拡がる拡張部３１を有する形状とし、両綴じ穴３，３の拡張部３１，３１に綴り具（ステイック型のペーパーファスナー５Ａ，５Ｂ、綴り紐６、ロック式のペーパーファスナー７Ａ，７Ｂ）の差込み部（端部５１，６ａ、綴じ足７２ｂ，７４ｂ）を通して該紙葉束１ａを綴って一纏めの書類１とし、この綴った書類１の複数部を二穴ファイル２Ａ，２Ｂに収納する際に、当該二穴ファイル２Ａ，２Ｂの両綴じ杆（パイプ軸４Ａ，４Ａ、開閉リング４Ｂ，４Ｂ）を各書類１の両綴じ穴３，３における前記差込み部が通過した外側に通すことにより、二穴ファイル２Ａ，２Ｂに対して綴った書類１単位で着脱可能に収納することを特徴としている。
【０００９】
請求項２の発明は、上記請求項１のファイリングシステムにおいて、拡張部３１を有する形状の綴じ穴３，３を設けた紙葉束１ａを、表裏の両シート部８ａ，８ｂに同様の拡張部３１を有する形状の綴じ穴３，３を設けた書類挟み８に挟み込み、この挟み込み状態で紙葉束１ａ及び書類挟み８の両綴じ穴３，３の拡張部３１，３１に綴り具の差込み部を連通して一纏めの書類１に綴ることを特徴としている。
【００１０】
請求項３の発明は、上記請求項１又は２のファイリングシステムにおいて、拡張部３１を有する形状の綴じ穴３を、該綴じ穴３に対応する先端形状の打抜き刃軸１７を備える穿孔パンチＰによって形成することを特徴としている。
【００１１】
請求項４の発明は、上記請求項１〜３のいずれかのファイリングシステムにおいて、綴り具としてステイック型のペーパーファスナー５Ａ，５Ｂを用い、このペーパーファスナー５Ａ，５Ｂの両端部５１，５１を紙葉束１ａの両綴じ穴３，３の拡張部３１，３１に通して互いの対向側へ折り付けて一纏めの書類１に綴ることを特徴としている。
【００１２】
請求項５の発明は、上記請求項１〜３のいずれかのファイリングシステムにおいて、綴り具として綴じ紐６を用い、この綴じ紐６の両端部６ａ，６ｂを紙葉束１ａの両綴じ穴３，３の拡張部３１，３１に通して互いに結び留めて一纏めの書類１に綴ることを特徴としている。
【００１３】
請求項６の発明は、上記請求項１〜３のいずれかのファイリングシステムにおいて、綴り具は、二穴ファイル２Ａ，２Ｂ用の一対の挿通孔７０，７０を備える硬質帯板状のベース７１と、一対の綴じ足７２ｂ，７２ｂを備える可撓性差込み部材７２と、ベース７１にスライド自在に装着された一対の係止部材７３，７３とからなるロック式のペーパーファスナー７Ａであり、ベース７１の両挿通孔７０，７０が二穴ファイル２Ａ，２Ｂによる両綴じ中心Ｏ，Ｏから相互の対向側へ拡がる拡張部７０ａ，７０ａを有し、紙葉束１ａの両綴じ穴３，３の拡張部３１，３１に通した両綴じ足７２ｂ，７２ｂをベース７１の両挿通孔７０，７０の拡張部７０ａ，７０ａに通して互いの対向側へ折り付け、その各折り付け部分を係止部材７３によって該ベース７１に係止して一纏めの書類１に綴ることを特徴としている。
【発明の効果】
【００１４】
次に、本発明の効果について図面を参照して具体的に説明する。請求項１の発明に係るファイリングシステムによれば、まず紙葉束１ａに設ける二穴ファイル２Ａ，２Ｂ用の一対の綴じ穴３，３を、二穴ファイル２Ａ，２Ｂの両綴じ中心Ｏ，Ｏから相互の対向側へ拡がる拡張部３１を有する形状とし、両綴じ穴３，３の拡張部３１，３１に綴り具（ステイック型のペーパーファスナー５Ａ，５Ｂ、綴り紐６、ロック式のペーパーファスナー７Ａ，７Ｂ）の差込み部（端部５１、端部６ａ、綴じ足７２ｂ，７４ｂ）を通して互いの対向側へ折り付けて一纏めの書類１に綴る。従って、この綴った書類１では、両綴じ穴３，３における綴り具の差込み部が通過した外側に広い貫通空間（主穴部３０）が確保されるから、二穴ファイル２Ａ，２Ｂに収納する際に、綴り具を取り外す必要がなく、綴った書類のままで当該二穴ファイル２Ａ，２Ｂの両綴じ杆（パイプ軸４Ａ，４Ａ、開閉リング４Ｂ、４Ｂ）を両綴じ穴３，３に無理なく通すことができる。そして、複数部の書類１を収納した二穴ファイル２Ａ，２Ｂにあっては、各書類１が区切られた状態であるため、閲覧する場合に必要な書類１を探し易い上、書類１単位で出し入れできるから、所要の書類１を外して持ち出したり他の書類１と入れ替えたりする操作が容易であり、従来のように出し入れの際に紙葉の順序等が乱れて整理に手間取るような問題もない。
【００１５】
請求項２の発明によれば、二穴ファイル２Ａ，２Ｂに対して各書類１を書類挟み８に挟み込んだ形態で収納できるから、該二穴ファイル２Ａ，２Ｂに収納した状態で、閲覧する場合に必要な書類１をより探し易い上、所要の書類１を外して持ち出したり他の書類１と入れ替えたりする操作もより容易になる。
【００１６】
請求項３の発明によれば、上記のファイリングシステムにおいて、書類１の拡張部３１を有する綴じ穴３を穿孔パンチＰによって簡単に形成できるから、ファイリング操作がより容易になる。
【００１７】
請求項４〜６の発明によれば、上記のファイリングシステムにおいて、紙葉束１ａを一纏めの書類１に綴る際に、その綴り具としてステイック型のペーパーファスナー５Ａ，５Ｂ、綴り紐６、ロック式のペーパーファスナー７Ａ，７Ｂ等を利用して容易に綴り操作できる。とりわけ、請求項４及び請求項５の発明では、綴り具に既存のペーパーファスナー５Ａ，５Ｂや綴り紐６をそのまま利用できるという利点もある。
【図面の簡単な説明】
【００１８】
【図１】本発明の第一実施形態に係るファイリングシステムにおける紙葉束の綴り操作を示し、（ａ）は綴り前の斜視図、（ｂ）は綴った書類の表面側の斜視図、（ｃ）は同書類の裏面側の斜視図である。
【図２】同書類の綴り部分の平面図である。
【図３】パイプ方式の二穴ファイルに対する同書類の収納操作を示し、（ａ）は書類収納前の斜視図、（ｂ）は書類収納後の閉鎖金具装着前の斜視図である。
【図４】書類収納後の同二穴ファイルにおける綴じ杆挿通部分を示し、（ａ）は縦断側面図、（ｂ）は（ａ）のＸ−Ｘ線における矢視断面図である。
【図５】リング方式の二穴ファイルにおける同書類の収納状態を示す斜視図である。
【図６】綴じ穴を形成した紙葉束を示し、（ａ）は全体の平面図、（ｂ）は要部の拡大平面図である。
【図７】同ファイリングシステムに用いるステイック型のペーパーファスナーを例示し、（ａ）はストレートタイプの平面図、（ｂ）は中間ワイドタイプの平面図である。
【図８】同ファイリングシステムに用いる二穴穿孔パンチを示し、（ａ）は全体の斜視図、（ｂ）は縦断側面図、（ｃ）は打抜き刃軸の正面及び底面の図、（ｄ）は台座の平面図である。
【図９】紙葉束に設ける綴じ穴の他の構成例を示し、（ａ）は矩形、（ｂ）は円形、（ｃ）は楕円形、のそれぞれ綴じ穴を設けた紙葉束の要部の平面図である。
【図１０】同ファイリングシステムに用いるロック式のペーパーファスナーを示し、（ａ）は係止部材を嵌装したペースの平面図、（ｂ）は（ａ）のＹ−Ｙ線の矢視断面図、（ｃ）は綴じ足の正面図、（ｄ）は（ｃ）のＺ−Ｚ線の矢視断面図である。
【図１１】本発明の第二実施形態に係るファイリングシステムにおける紙葉束の綴り操作を示し、（ａ）は綴り前の斜視図、（ｂ）は綴り後の要部の平面図である。
【図１２】同第三実施形態に係るファイリングシステムにおける紙葉束の綴り操作を示し、（ａ）は綴り前の斜視図、（ｂ）は綴り後の斜視図である。
【図１３】同第四実施形態に係るファイリングシステムにおける紙葉束の綴り操作を示し、（ａ）は綴り前の斜視図、（ｂ）は綴り後の斜視図である。
【図１４】同第五実施形態に係るファイリングシステムにおける紙葉束の綴り操作を示す斜視図である。
【図１５】同ファイリングシステムにおける綴った書類をパイプ方式の二穴ファイルに収容する操作を示す斜視図である。
【発明を実施するための形態】
【００１９】
以下、本発明に係るファイリングシステムの実施形態について、図面を参照して具体的に説明する。なお、第一〜第五実施形態において、共通部分には同一符号を付して、重複する説明を省略する。
【００２０】
第一実施形態のファイリングシステムでは、図１（ａ）に示すように、まず紙葉束１ａに、二穴ファイル用の一対の綴じ穴３，３を設けておき、両綴じ穴３，３に綴り具としてのステイック型のペーパーファスナー５Ａの両端部５１，５１を挿入し、同図（ｂ），（ｃ）に示すように、該ペーパーファスナー５Ａの中間部５０を両綴じ穴３，３間にわたす形で、紙葉束１ａの裏面側で引き絞った両端部５１，５１を互いの対向側へ折り付けることにより、該紙葉束１ａを綴って一纏めの書類１とする。
【００２１】
ここで、紙葉束１ａの両綴じ穴３，３は、図２及び図６（ａ）で示すように、互いの反対向側が半円形で、且つ対向側が角形をなしている。すなわち、従来における二穴ファイル用の綴じ穴は円形であるが、この場合の両綴じ穴３，３では、図６（ｂ）に示すように、相互の対向側を内側として、二穴ファイルの綴じ中心Ｏの円Ｃから内側へ矩形に拡がる拡張部３１を有している。そして、綴った書類１は、図２で示すように、ペーパーファスナー５Ａの各端部５１が綴じ穴３の拡張部３１に挿通していることで、該綴じ穴３には従来における二穴ファイル用の綴じ穴に相当する大きさの円Ｃを含む広い主穴部３０が確保されている。
【００２２】
なお、本発明でいう紙葉束１ａとは、１枚ずつ独立した紙葉のみからなる束に限らず、パンフレット類の如く１枚ないし数枚の紙葉を二つ折りにしたり、その折り部をステープラ等で留めたものの束、薄型の冊子類の束、これら独立紙葉やパンフレット類、冊子類等が混在した束を包含する。
【００２３】
図３（ａ）（ｂ）は、ペーパーファスナー５Ａで綴った書類１をパイプ方式の二穴ファイル２Ａに収納する操作を示す。このパイプ方式の二穴ファイル２Ａは、背表紙２０ａの両側に表表紙２０ｂ及び裏表紙２０ｃが連なった樹脂被覆板紙等からなる表紙体２０と、その背表紙２０ａの内面側に固着された綴じ金具本体２１と、閉鎖金具２２とで構成されている。その綴じ金具本体２１は、背表紙２０ａの内面に重着する基板部２１ａの表表紙２０ｂ側の側縁に、内面側に一対の係止穴２３，２３を有する係止板部２１ｂが立ち上げ形成される一方、該基板部２１ａの裏表紙２０ｃ側の側縁に、綴じ杆である一対のパイプ軸４Ａ，４Ａを突設した帯状の保持板２１ｃが枢支ピン２４を介して蝶番状に枢着されると共に、該保持板２１ｃがタコバネ２５によって基板部２１ａに対して開く方向に付勢されている。また、閉鎖金具２２は、帯板２２ａの上面側に一対の係止突起２２ｂ，２２ｂを備えると共に、該帯板２２ａの下面側に一対の棒脚２２ｃ，２２ｃが垂設されてなる。
【００２４】
このパイプ方式の二穴ファイル２Ａに書類１を収納するには、図３（ａ）の仮想線で示すように該書類１をペーパーファスナー５Ａで綴ったまま、図３（ｂ）に示すように該書類１の両綴じ穴３，３に二穴ファイル２Ａの両パイプ軸４Ａ，４Ａを挿入させればよい。すなわち、既述のように、ペーパーファスナー５Ａの両端部５１，５１は両綴じ穴３，３の拡張部３１を通過しており、その通過した外側に広い貫通空間をなす主穴部３０（図２参照）が空いているから、図４（ａ）（ｂ）で示すように、該主穴部３０にパイプ軸４Ａを無理なく挿通できる。
【００２５】
かくして所要数の書類１を積み重ねて両パイプ軸４Ａ，４Ａに保持させたのち、図３（ｂ）の如く閉鎖金具２２の両棒脚２２ｃ，２２ｃを綴じ金具本体２１の両パイプ軸４Ａ，４Ａに挿入し、次いで該綴じ金具本体２１の基板部２１ａをタコバネ２５の付勢に抗して背表紙２０ａと一体に持ち上げて、閉鎖金具２２の係止突起２２ｂ，２２ｂを係止板部２１ｂの係止穴２３，２３に係合させることにより、綴じ金具本体２１と閉鎖金具２２とがロックされ、もって図４（ａ）で示すように二穴ファイル２Ａに所要数の書類１が収納された状態となる。
【００２６】
以上はパイプ方式の二穴ファイル２Ａを用いる場合を例示したが、図５に示すようにリング方式の二穴ファイル２Ｂも同様に用いることができる。このリング方式の二穴ファイル２Ｂは、パイプ方式の二穴ファイル２Ａと同様の表紙体２０の裏表紙２０ｃにおける内面の背表紙２０ａに近い位置に、綴じ杆である一対の開閉リング４Ｂ，４Ｂを突設した綴じ金具２６が固着されており、各開閉リング４Ｂが略Ｃ字形の第１リング要素４１と略逆Ｌ字形の第２リング要素４２とで構成され、両リング要素４１，４２を手動で開姿勢と閉姿勢とに転換でき、閉姿勢では両リング要素４１，４２の先端部同士が係合してＤ字形リングを構成するようになっている。
【００２７】
このリング方式の二穴ファイル２Ｂに書類１を収納する際にも、図示のように、各書類１をペーパーファスナー５Ａで綴ったまま、その両綴じ穴３，３に開姿勢とした両開閉リング４Ｂの第２リング要素４２を挿入させればよい。すなわち、既述のように、書類１の各綴じ穴３にはペーパーファスナー５Ａの端部５１が通過した外側に広い主穴部３０（図２参照）が空いているから、該綴じ穴３に開閉リング４Ｂの第２リング要素４２を無理なく挿通でき、所要数の書類１を積み重ねて両第２リング要素４２，４２に保持させたのち、両開閉リング４Ｂ，４Ｂを閉姿勢に転換することで二穴ファイル２Ｂに所要数の書類１が収納された状態となる。
【００２８】
なお、Ａ４版用の二穴ファイルでは、一般的に、綴じ穴径が６ｍｍ、綴じ穴ピッチ（中心間距離）が８０ｍｍに設定される。従って、紙葉束１ａがＡ４版である場合、図６（ｂ）に示す各綴じ穴３における円Ｃの径Φを６ｍｍ、両綴じ穴３，３における円Ｃ，Ｃの中心Ｏ，Ｏ間の距離Ｗを８０ｍｍとする。しかして、各綴じ穴３の拡張部３１における円Ｃから内側への拡がり幅Ｓは、１〜３ｍｍ程度が好ましい。
【００２９】
上記第一実施形態で例示したステイック型のペーパーファスナー５Ａは図７（ａ）でも示すように全長にわたって一定幅のストレートタイプであるが、図７（ｂ）で示すような中間部５０が幅広になった中間ワイドタイプのペーパーファスナー５Ｂも使用できる。後者の中間ワイドタイプのペーパーファスナー５Ｂには、幅広の中間部５０が装飾形状になったものや、該中間部５０の背面側に粘着層を設けたものもある。これらステイック型のペーパーファスナー５Ａ，５Ｂは、鋼板等の細長く偏平な金属板を塗装するか、もしくは該金属板をポリプロピレン等の熱可塑性合成樹脂で被包したものであり、全長が１３０〜１７０ｍｍ程度、幅が３〜６ｍｍ程度（広幅タイプの中間部５０の幅は８〜１２ｍｍ程度）、厚さが０．６〜１．５ｍｍ程度である。なお、紙葉束１ａの両綴じ穴３，３に挿通したペーパーファスナー５Ａ，５Ｂの両端部５１，５１が該紙葉束１ａの裏面側で互いに重なり得る長さになる場合、上下の重なりで綴じ合わせ部分が嵩高になるのを避けるために、やや斜めに折り付けて並行配置させるのがよい。
【００３０】
一方、紙葉束１ａに各々上記拡張部３１を有する一対の綴じ穴３，３を設ける手段としては、特に制約されないが、図８（ａ）〜（ｄ）に例示するような専用の二穴穿孔パンチＰを用いることが推奨される。
【００３１】
この二穴穿孔パンチＰは、偏平な矩形箱状の台座１０と、この台座１０上にリベット固着された左右一対の支持枠１１，１１と、両支持枠１１，１１に枢支ピン１２，１２を介して上下回動自在に枢着された操作レバー１３と、両支持枠１１，１１の各々の内側に配置する一対の垂直な打抜き刃軸１７，１７と、各枢支ピン１２に嵌装されて操作レバー１３を上方へ押圧付勢するタコバネ型のばね部材１８，１８とを備えている。そして、台座１０の上板部１０ａと両支持枠１１，１１の底板部１１ａには、各打抜き刃軸１７を挿通させるガイド穴１４，１４が上下に対向して形成されている。また、各打抜き刃軸１７には作動ピン１５が水平に貫通し、該作動ピン１５の両端部が各支持枠１１の左右側板部１１ｂ，１１ｂに設けた弧状孔１６，１６を通して操作レバー１３の内外側板部１３ａ，１３ａに軸支されており、操作レバー１３の上下回動に伴って両打抜き刃軸１７，１７が昇降動作するようになっている。なお、台座１０の上板部１０ａの前部側は段下することで、両支持枠１１，１１の底板部１１ａとの間に被穿孔物差込み用の間隙１９を構成し、この間隙１９に臨んで打抜き刃軸１７及び上下のガイド穴１４，１４が配置すると共に、該台座１０の内側は底蓋１０ｂによって開閉し得る打抜き片収容部１０ｃを構成する。
【００３２】
この二穴穿孔パンチＰの部材構成自体は従来から一般的なものであるが、図８（ｃ）に示すように、各打抜き刃軸１７の下部側は丸軸部１７ａと角軸部１７ｂが合体した異形軸をなしている。これにより、該打抜き刃軸１７の先端面は、パンチ中心Ｐｏの円形から両打抜き刃軸１７，１７の対向側へ矩形に拡がる拡張部１７ｃを有する形状になっている。また、図８（ｄ）に示すように、台座１０の上板部１０ａと各支持枠１１の底板部１１ａに設けた上下のガイド穴１４，１４も、打抜き刃軸１７の先端形状に対応して、各対の相互の対向側へ拡がる拡張部７ａ，１４ａを有する形状になっている。なお、両パンチ中心Ｐｏ，Ｐｏ間の距離Ｐｗは、二穴ファイルの綴じ穴ピッチ、つまり図６（ｃ）で示す距離Ｗに一致する。従って、この二穴パンチ６を用いれば、書類１に対して前記の拡張部３１を有する一対の綴じ穴３，３を簡単な操作で迅速に且つ的確に形成できる。
【００３３】
なお、紙葉束１ａの一対の綴じ穴３，３は、上記の二穴穿孔パンチＰの代わりに、先端形状が該綴じ穴３に対応した１本の打ち抜き刃軸を有する一穴穿孔パンチを用い、２回の穿孔操作によって形成してもよい。ただし、一穴穿孔パンチでは、一対の綴じ穴３，３の間隔を規定値にするために定規等で計測すると共に、拡張部３１が相互に対向する側に延出するように打ち抜き刃軸の向きを設定する必要があるため、例示したような二穴穿孔パンチＰに比較して穿孔操作が煩わしいという難点がある。
【００３４】
また、紙葉束１ａに設ける一対の綴じ穴３，３は、第一実施形態では外側半部が円形で拡張部３１を含む内側半部を矩形にしたものを例示したが、このような形状に限らず、例えば図９（ａ）のように全体が対向方向に長い矩形、同図（ｂ）のように全体が二穴ファイルの綴じ中心Ｏから対向側に偏心したやや径大の円形、同図（ｃ）のように全体が対向方向に長い楕円形等、従来における二穴ファイル用の綴じ穴に相当する大きさの円Ｃを含む主穴部３０に拡張部３１を連設した形状であればよい。なお、図９（ａ）〜（ｃ）における符号Φ，Ｃ，Ｏ，Ｓ，Ｗは図６（ｂ）の符号と同義である。しかして、綴じ穴３，３の形成に用いる二穴穿孔パンチＰは、両打抜き刃軸１７，１７の先端と、台座１０及び支持枠１１の両ガイド穴１４，１４を綴じ穴３，３に対応する形状とすることは言うまでもない。
【００３５】
図１０（ａ），（ｂ）は、本発明の第二実施形態に係るファイリングシステムに用いる綴り具である、ロック式のペーパーファスナー７Ａを示す。このペーパーファスナー７Ａは、両端部近傍に一対の挿通孔７０，７０を有する帯板状のベース７１と、帯板部７２ａの両端に一対のバンド状の綴じ足７２ｂ，７２ｂを立ち上げ状に延設した可撓性差込み部材７２と、ベース７１にスライド自在に装着された偏平コ字枠状の一対の係止部材７３，７３とで構成されている。そのベース７１は、硬質合成樹脂成形物からなり、上面には長手方向に連続する溝部７１ａを備え、両挿通孔７０，７０が該溝部７１ａに臨んで形成されている。そして、両挿通孔７０，７０は、紙葉束１ａに設ける綴じ穴３，３と同様の配置間隔及び形状に設定され、二穴ファイルによる両綴じ中心Ｏ，Ｏから相互の対向側へ拡がる拡張部７０ａ，７０ａを有している。また、可撓性差込み部材７２は、半硬質合成樹脂成形物からなり、両綴じ足７２ｂ，７２ｂの対向面には一定間隔置きに幅方向に沿う凹凸７２ｃが形成されており、これら綴じ足７２ｂ，７２ｂをベース７１における両挿通孔７０，７０の拡張部７０ａ，７０ａに差し込めるように寸法設定されている。更に、各係止部材７３は、硬質合成樹脂成形物からなり、折り返し状の両側部７３ａ，７３ａをベース７１の両側縁部７１ｂ，７１ｂに外嵌して、溝部７１ａを跨ぐ形で該ベース７１に嵌装されている。
【００３６】
第二実施形態に係るファイリングシステムでは、図１１（ａ）に示すように、ペーパーファスナー７Ａの可撓性差込み部材７２の両綴じ足７２ｂ，７２ｂを各々紙葉束１ａの綴じ穴３に挿入し、次いでベース７１の挿通孔７０に通して引き絞った上で、溝部７１ａに嵌まるように相互の対向側へ折り付け、その各折り付け部分を係止部材７３で押さえて該ベース７１に係止することにより、図１１（ｂ）の如く一纏めの書類１に綴る。
【００３７】
この綴った書類１においては、ペーパーファスナー７Ａの各綴じ足７２ｂが綴じ穴３及び挿通孔７０の拡張部３１，７０ａを通過する形になっており、その通過した外側に図１１（ｂ）の如く広い貫通空間が確保されるから、該貫通空間に二穴ファイルの綴じ杆、つまりパイプ方式の二穴ファイル２Ａにおけるパイプ軸４Ａ（図３参照）や、リング方式の二穴ファイル２Ｂにおける開閉リング４Ｂ（図５参照）を無理なく挿通することができる。従って、第一実施形態と同様に、綴った書類１の複数部を二穴ファイルに容易に収納できる。
【００３８】
図１２（ａ）（ｂ）は、本発明の第三実施形態に係るファイリングシステムによる書類の綴り方式を示す。この場合、綴り具として綴じ紐６を用い、図１２（ａ）の如く該綴じ紐６の両端部６ａ，６ｂを紙葉束１ａの綴じ穴３，３に通し、引き絞って結び留めることにより、図１２（ｂ）の如く一纏めの書類１に綴る。しかして、この綴じ紐６で綴った書類１においても、該綴じ紐６が両綴じ穴３，３における拡張部３１，３１を通過する形になり、両綴じ穴３，３には綴じ紐６の通過部分の外側に広い貫通空間が確保されるから、第一及び第二実施形態と同様にして、複数部の書類１をパイプ方式やリング方式の二穴ファイル２Ａ，２Ｂに容易に収納できる。なお、本実施形態では、紙葉束１ａの各綴じ穴３を図９（ｃ）で示すような楕円形としている。
【００３９】
図１３（ａ）（ｂ）は、本発明の第四実施形態に係るファイリングシステムによる書類の綴り方式を示す。この場合、紙葉束１ａには既述同様に拡張部３１，３１を有する一対の綴じ穴３，３を設けるが、その紙葉束１ａを書類挟み８と一体に綴って書類化する。すなわち、書類挟み８は、表裏の両シート部８ａ，８ｂが背部８ｃで繋がった一枚シートからなるが、その両シート部８ａ，８ｂに紙葉束１ａと同様の拡張部３１を有する形状の綴じ穴３，３を設けてある。従って、紙葉束１ａを書類挟み８に挟み込んだ状態で、該紙葉束１ａ及び書類挟み８の両綴じ穴３，３に連通するように、綴り具としてのステイック型のペーパーファスナー５Ａの両端部５１，５１を差し込み、この差し込んだ両端部を反対側で引き絞って互いの対向側へ折り付けることにより、図１３（ｂ）の如く紙葉束１ａが書類挟み８に挟み込まれた状態で綴られた一纏めの書類１になる。
【００４０】
この紙葉束１ａを書類挟み８に挟み込んだ書類１においても、ペーパーファスナー５Ａの各端部５１が紙葉束１ａ及び書類挟み８の両綴じ穴３，３における拡張部３１，３１を通過する形になり、その通過部分の外側に広い貫通空間が確保される。従って、第一〜第三実施形態と同様にして、複数部の該書類１をパイプ方式やリング方式の二穴ファイル２Ａ，２Ｂに容易に収納できる。なお、ここでは綴り具としてステイック型のペーパーファスナー５Ａを用いているが、第二実施形態で用いたロック式のペーパーファスナー７Ａや、第三実施形態で用いた綴じ紐６のような他の綴り具も同様に使用できる。
【００４１】
図１４及び図１５は、本発明の第五実施形態に係るファイリングシステムによる書類の綴り方式を示す。この場合、図１４に示すように、紙葉束１ａには既述同様に拡張部３１，３１を有する一対の綴じ穴３，３を設けるが、これを書類として綴るための綴り具が薄型の二穴バインダー９に付属するロック式のペーパーファスナー７Ｂになっている。すなわち、二穴バインダー９は、表表紙９ａと裏表紙９ｂが幅狭の背表紙９ｃ及び内向きの折返し条片部９ｄを介して繋がった表紙体９０に、その折返し条片部９ｄに止着した一対の可撓性差込み部材７４，７４と、独立部材としての帯板状のベース７５と、該ベース７５に嵌装された一対の係止部材７６，７６とからなるペーパーファスナー７Ｂが付属している。
【００４２】
このペーパーファスナー７Ｂは、一対の綴じ足７４ｂ，７４ｂが別体の可撓性差込み部材７４にて構成されているが、基本的には第二実施形態で用いたロック式のペーパーファスナー７Ａと同様である。その各綴じ足部材７４は、半硬質合成樹脂成形物からなり、表紙体９０の折返し条片部９ｄに往復して挿通され、その基端側に設けた抜止め板部７４ａで該折返し条片部９ｄに係止されると共に、先端側がバンド状の綴じ足７４ｂとして表表紙９ａ側へ張出している。また、ベース７５は、細長い金属帯板からなり、その両側縁部の折り返しによって上面側に溝部７５ａを構成すると共に、長手方向両側に該溝部７５ａに臨んで挿通孔７７が穿設されている。更に、両係止部材７６，７６は、金属板のプレス加工によって相互の対向側が開いた半袋状に形成され，その両側縁部をベース７５の折り返した両側縁部の下側に挿嵌することにより、当該ベース７５上を長手方向にスライド自在になっている。
【００４３】
そして、表紙体９０の折返し条片部９ｄにおける両綴じ足７４ｂの挿通孔９１，９１と、ペース７５の両挿通孔７７，７７とは、紙葉束１ａに設ける拡張部３１を有する一対の綴じ穴３，３と同じ形状及び配置間隔に設定されている。また、表紙体９０の折返し条片部９ｄの各挿通孔９１に対向して、表表紙９ａ側には長孔９２が、裏表紙９ｂ側には丸孔９３が、それぞれ形成されている。
【００４４】
第五実施形態のファイリングシステムでは、まず紙葉束１ａに各々拡張部３１を有する一対の綴じ穴３，３を設け、その両綴じ穴３，３に二穴バインダー９に付属するペーパーファスナー７Ｂの両綴じ足７４ｂ，７４ｂを挿通し、この挿通した両綴じ足７４ｂ，７４ｂを更にベース７５の挿通孔７７，７７に通して引き絞った上で、溝部７１ａに嵌まるように相互の対向側へ折り付け、その各折り付け部分を係止部材７６で押さえて該ベース７５に係止することにより、該二穴バインダー９に紙葉束１ａを挟み込んで一纏めに綴った形態の書類１とする。しかして、この書類１では、紙葉束１ａの各綴じ孔３、ペーパーファスナー７Ｂにおけるベース７５の各挿通孔７７、表紙体９０における折返し条片部９ｄの各挿通孔９１を通して、綴じ足７４ｂの通過部分の外側に広い貫通空間が確保されると共に、該二穴バインダー９を閉じた状態で表表紙９ａの長孔９２と裏表紙９ｂの丸孔９２が該貫通空間に連通するから、その連通部分に二穴ファイルの綴じ杆を無理なく挿通できる。従って、例えば図１５に示すように、パイプ方式の二穴ファイル２Ａに対し、二穴バインダー９に綴り込んだ形態の書類１の複数部を容易に収納できる。
【００４５】
なお、上記の二穴バインダー９における表表紙９ａの長孔９２は、紙葉束１ａの厚みの違いによる孔位置のずれを吸収するものである。また、このような二穴バインダー９では、単独での使用に対応して、表表紙９ａの長孔９２と裏表紙９ｂの丸孔９２の輪郭をミシン目で形成しておき、パイプ方式の二穴ファイル２Ａ等に複数部を纏めて収納する場合に該ミシン目で破断して長孔９２及び丸孔９３を開くようにしてもよい。
【００４６】
上述の各実施形態で例示したように、本発明のファイリングシステムによれば、パイプ方式やリング方式の二穴ファイル２Ａ，２Ｂに対し、紙葉束１ａを綴じ具で綴った書類１の複数部を簡単に収納できる。そして、収納した個々の書類１が一纏めになって区切られた状態であることから、閲覧する場合に必要な書類１を探し易い上、二穴ファイル２Ａ，２Ｂに書類１単位で出し入れできるので、該二穴ファイル２Ａ，２Ｂから所要の書類１を外して持ち出したり他の書類１と入れ替えたりする場合の操作性もよく、従来のように綴じていない書類の出し入れ時に紙葉がばらける懸念もないから、そのばらけた紙葉の乱れた頁順や表裏及び上下の向き等を再整理するための煩わしい手間が解消される。特に、第四，第五実施形態のように、紙葉束１ａを書類挟み８や二穴バインダー９と一体に綴った書類１では、二穴ファイル２Ａ，２Ｂに収納した状態で、閲覧に必要な書類１をより探し易い上、所要の書類１の持ち出しや他の書類１との入れ替えの操作もより容易になる。
【００４７】
本発明のファイリングシステムに用いる二穴ファイルは、実施形態で例示したパイプ方式及びリング方式の二穴ファイル２Ａ，２Ｂに限らず、パイプ方式における綴じ金具の構造及びロック方式、リング方式における開閉リングの形状及び開閉機構等が種々異なるものを採用できる。例えば、パイプ方式の二穴ファイルでは、一対のパイプ軸が実施形態の閉鎖金具２２と同様の独立した帯板に設けられ、表表紙側と裏表紙側のいずれからも書類を装着可能な両綴じ型のものでもよい。また、リング方式の二穴ファイルでは、開閉リングをレバーで開放する機構を備えるものでもよい。一方、紙葉束１ａを挟み込んで綴るための書類挟みや二穴バインダーについても、第四，第五実施形態で例示した以外の種々の形態のものを採用できる。
【００４８】
更に、本発明においては、紙葉束１ａを綴るための綴り具として、例示したステイック型のペーパーファスナー５Ａ，５Ｂ、綴り紐６、ロック式のペーパーファスナー７Ａ，７Ｂ以外の種々の形態及び構造のものを使用できる。ただし、ステイック型のペーパーファスナー５Ａ，５Ｂや綴り紐６では、既存の市販品をそのまま利用できるという利点がある。更に、二穴穿孔パンチＰについても、各構成部材の形状及び連結構造、両打抜き刃軸1７，１７の作動方式、付属部材等が種々異なるものを使用できる。
【符号の説明】
【００４９】
１              書類
１ａ            紙葉束
２Ａ，２Ｂ      二穴ファイル
３              綴じ穴
３１            拡張部
４Ａ            パイプ軸（綴じ杆）
４Ｂ            開閉リング（綴じ杆）
５Ａ，５Ｂ      ステイック型のペーパーファスナー（綴り具）
５１            端部（差込み部）
６              綴り紐（綴り具）
６ａ            端部（差込み部）
７Ａ，５Ｂ      ロック式のペーパーファスナー（綴り具）
７０，７７      挿通孔
７０ａ          拡張部
７１，７５      ベース
７２，７４      可撓性差込み部材
７２ｂ，７４ｂ  綴じ足（差込み部）
７３，７６      係止部材
８              書類挟み
８ａ，８ｂ      シート部
１７            打ち抜き刃軸
Ｏ              綴じ中心
Ｐ              二穴穿孔パンチ
【図１】
2018187880.tif 000003
【図２】
2018187880.tif 000004
【図３】
2018187880.tif 000005
【図４】
2018187880.tif 000006
【図５】
2018187880.tif 000007
【図６】
2018187880.tif 000008
【図７】
2018187880.tif 000009
【図８】
2018187880.tif 000010
【図９】
2018187880.tif 000011
【図１０】
2018187880.tif 000012
【図１１】
2018187880.tif 000013
【図１２】
2018187880.tif 000014
【図１３】
2018187880.tif 000015
【図１４】
2018187880.tif 000016
【図１５】
2018187880.tif 000017